(57)【特許請求の範囲】
【請求項１】
胴周り方向の両端部に沿った両接合部で互いに接合される腹側部材及び背側部材と、
前記腹側部材及び前記背側部材の両中央部に架け渡されて接合される股部材と、
前記腹側部材及び前記背側部材の両上端縁で囲まれて形成される腰開口部と、
前記腹側部材と前記背側部材と前記股部材とで囲まれて形成される左右の脚開口部と、
前記腹側部材及び前記背側部材の各胴周り方向に延在する胴周り弾性部材と、
前記腹側部材の前記各接合部の下部から胴周り方向の中央まで前記上端縁側へ上昇して延在する第１弾性部材とを備え、
前記腰開口部から下方の左右の脚開口部へ向かって広がる形状であり、
前記腹側部材の上端縁の中央部が前記背側部材の上端縁より下がっていることを特徴とする使い捨て下着。
【請求項２】
前記腹側部材の胴周り方向に延在する胴周り弾性部材が、前記背側部材の胴周り方向に延在する胴周り弾性部材よりも高い張力を有することを特徴とする請求項１に記載の使い捨て下着。
【請求項３】
領域内の弾性部材の張力を消失させる非弾性領域が、前記腹側部材の胴周り方向の中央に、前記上端縁側に頂点を有する先細り形状に形成されることを特徴とする請求項１に記載の使い捨て下着。
【請求項４】
領域内の弾性部材の張力を消失させる非弾性領域が、前記背側部材の胴周り方向の中央に、前記上端縁側に頂点を有する先細り形状に形成されることを特徴とする請求項３に記載の使い捨て下着。
【請求項５】
前記股部材は、少なくとも１対の腹側接続弾性部材を備え、前記腹側接続弾性部材の前記股部材に接合される部分の腹側端部が、前記股部材の前記腹側部材に重ねられて接合される領域と重なり、前記腹側接続弾性部材の前記股部材に接合される部分の背側端部が、前記股部材の前記背側部材に重ねられて接合される領域と重ならないことを特徴とする請求項１に記載の使い捨て下着。
【請求項６】
前記腹側部材の下端縁は、胴周り方向に略平行な両端ラインと、前記両端ラインから前記中央部へ向かうに従って前記上端縁側へ上昇する一対の傾斜ラインと、前記傾斜ライン間をつなぐ中央ラインとを含み、
前記背側部材の下端縁は、胴周り方向に略平行な両端ラインと、前記両端ラインから前記中央部へ向かうに従って前記上端縁と反対側へ下降する一対の傾斜ラインと、前記傾斜ライン間をつなぐ中央ラインとを含むことを特徴とする請求項１に記載の使い捨て下着。
【請求項７】
前記腹側部材と前記背側部材とが分離され且つ伸展された状態で、前記腹側部材の下端縁が前記背側部材の下端縁と突き合わされる際に一致することを特徴とする請求項１に記載の使い捨て下着。
【発明の詳細な説明】
【技術分野】
【０００１】
本発明は、パンツ型の使い捨ておむつやパッドホルダーなどの、使い捨て下着に関する。
【背景技術】
【０００２】
従来知られているパンツ型の使い捨ておむつやパッドホルダーなどの使い捨て下着は、股上が長く、通常の着用者によって着用されたとき、胴周り方向に伸縮する弾性部材を備えた腰開口部が、着用者のへそ周りに略水平に位置している。例えば、特許文献１には、床に座っている者に着用された使い捨ておむつを側方から見たとき、腰開口部が着用者のへそ周りに略水平に位置している、パンツ型の使い捨ておむつが示されている。
【先行技術文献】
【特許文献】
【０００３】
【特許文献１】特許第３９１６８７８号公報
【発明の概要】
【発明が解決しようとする課題】
【０００４】
しかし、着用された際に腰開口部が着用者のへそ周りに略水平に位置する使い捨ておむつは、腰開口部が骨格のないへそ周りを締め付けて着用位置を支えているので、着用者が座ったり前屈姿勢を取った場合に、おむつが大きく変形して、着用位置がずれやすい。かかる姿勢を取った際に、おむつが着用者の腹部を圧迫して不快感を与えることもある。また、かかる使い捨ておむつは、股上が長く、ズボンやスカートからはみ出し易い。不織布を資材とする使い捨ておむつは、布製下着に比べて柔軟性や吸湿性に劣るので、着用者を覆う面積が大きいと着用感が良くない。かかるおむつは、特に比較的活動的な大人用には不適当である。
【０００５】
前記課題を解決するため、本発明の目的は、股上が短く、着用者のへそ周りを圧迫せず、着用位置が安定する、使い捨ておむつを提供することである。
【課題を解決するための手段】
【０００６】
前記課題を解決するため、本発明の使い捨て下着は、胴周り方向の両端部に沿った両接合部で互いに接合される腹側部材及び背側部材と、前記腹側部材及び前記背側部材の両中央部に架け渡されて接合される股部材と、前記腹側部材及び前記背側部材の両上端縁で囲まれて形成される腰開口部と、前記腹側部材と前記背側部材と前記股部材とで囲まれて形成される左右の脚開口部と、前記腹側部材及び前記背側部材の各胴周り方向に延在する胴周り弾性部材と、前記腹側部材の前記各接合部の下部から胴周り方向の中央まで前記上端縁側へ上昇して延在する第１弾性部材とを備え、前記腰開口部から下方の左右の脚開口部へ向かって広がる形状であり、前記腹側部材の上端縁の中央部が前記背側部材の上端縁より下がっていることを特徴とする。
【０００８】
本発明の他の態様の使い捨て下着は、前記腹側部材の胴周り方向に延在する胴周り弾性部材が、前記背側部材の胴周り方向に延在する胴周り弾性部材よりも高い張力を有する。
【０００９】
本発明の更に他の態様の使い捨て下着は、領域内の弾性部材の張力を消失させる非弾性領域が、前記腹側部材の胴周り方向の中央に、前記上端縁側に頂点を有する先細り形状に形成される。
【００１０】
本発明の更に他の態様の使い捨て下着は、領域内の弾性部材の張力を消失させる非弾性領域が、前記背側部材の胴周り方向の中央に、前記上端縁側に頂点を有する先細り形状に形成される。
【００１１】
本発明の更に他の態様の使い捨て下着では、前記股部材は、少なくとも１対の腹側接続弾性部材を備え、前記腹側接続部材の前記股部材に接合される部分の腹側端部が、前記股部材の前記腹側部材に重ねられて接合される領域と重なり、前記腹側接続部材の前記股部材に接合される部分の背側端部が、前記股部材の前記背側部材に重ねられて接合される領域と重ならない。
【００１２】
本発明の更に他の態様の使い捨て下着では、前記腹側部材の下端縁は、胴周り方向に略平行な両端ラインと、前記両端ラインから前記中央部へ向かうに従って前記上端縁側へ上昇する一対の傾斜ラインと、前記傾斜ライン間をつなぐ中央ラインとを含み、前記背側部材の下端縁は、胴周り方向に略平行な両端ラインと、前記両端ラインから前記中央部へ向かうに従って前記上端縁と反対側へ下降する一対の傾斜ラインと、前記傾斜ライン間をつなぐ中央ラインとを含む。
【００１３】
本発明の更に他の態様の使い捨て下着は、前記腹側部材と前記背側部材とが分離され且つ伸展された状態で、前記腹側部材の下端縁が前記背側部材の下端縁と突き合わされる際に一致する。
【００１４】
本発明の更なる詳細、特徴、及び利点は、図面を参照しながら述べる好ましい例示的実施形態についての以下の説明によって、明らかになる。
【図面の簡単な説明】
【００１５】
【図１】本発明の一の実施形態の使い捨て下着の正面図である。
【図２】該使い捨て下着の背面図である。
【図３】該使い捨て下着の腹側部材及び背側部材を形成するための裁断予定線、伸長状態の弾性部材、及び非弾性領域を示す図である。
【図４】該使い捨て下着の弾性部材を伸長した状態での展開図である。
【図５】該使い捨て下着の股部材の弾性部材を伸長した状態での正面図である。
【図６】図５の股部材のＶＩ−ＶＩ線に沿った模式的断面図である。
【図７】該使い捨て下着が着用された状態を示す正面図である。
【図８】該使い捨て下着が着用された状態を示す背面図である。
【図９】該使い捨て下着が着用された状態を示す左側面図である。
【図１０】他の実施形態の使い捨て下着の弾性部材を伸長した状態での展開図である。
【図１１】更に他の実施形態の使い捨て下着の弾性部材を伸長した状態での展開図である。
【図１２】更に他の実施形態の使い捨て下着の弾性部材を伸長した状態での展開図である。
【発明を実施するための形態】
【００１６】
本発明の一の例示的な実施形態について以下に述べる。
図１は、本実施形態に係る使い捨て下着であるパンツ型の使い捨ておむつ１の正面図であり、図２はその背面図である。図３は、使い捨ておむつ１の腹側部材２及び背側部材３を形成するための裁断予定線、伸長状態の弾性部材及び非弾性領域を示す図である。図４は、使い捨ておむつ１の各弾性部材が伸長された状態での展開図である。図５は、使い捨ておむつ１の股部材４の弾性部材を伸長した状態での正面図である。図６は、図５の股部材４のＶＩ−ＶＩ線に沿った模式的断面図である。
図１及び図２に示すように、本実施形態の使い捨ておむつ１は、着用時に着用者の腹側に位置する腹側部材２と、背側に位置する背側部材３と、これらの各中央部２ｃ，３ｃに架け渡されて接合された股部材４とを備える。腹側部材２及び背側部材３は、腹側部材２の胴周り方向の両端部２ａ，２ｂ及び背側部材３の胴周り方向の両端部３ａ，３ｂに沿って形成される両接合部５ａ，５ｂで、互いに接合される。両接合部５ａ，５ｂの下部及びその周辺には、位置決め用接合部Ｋ１，Ｋ２が形成されている。腰開口部６は、腹側部材２の上端縁７及び背側部材３の上端縁８に囲まれて形成される。左右の脚開口部９ａ，９ｂは、腹側部材２の下端縁１０と、背側部材３の下端縁１１と、股部材４の左側縁４ａ又は右側縁４ｂとに囲まれて形成される。
【００１７】
図１及び図２に示すように、腹側部材２及び背側部材３には、各胴周り方向に胴周り弾性部材１２が延在している。腹側部材２の左右の脚開口部９ａ，９ｂには、第１弾性部材である第１脚周り弾性部材１３が延在している。背側部材３の左右の脚開口部９ａ，９ｂには、第２脚周り弾性部材１４が延在している。非弾性領域Ｐ１，Ｐ２，Ｐ３は、それぞれの領域内に延在する各弾性部材１２，１３，１４の張力を消失させた領域である。腹側部材２及び背側部材３の腰開口部６及びその周辺には、腰周りギャザー１５，１５が形成されている。腹側部材２及び背側部材３の腰周りギャザー１５，１５の下には、胴周りギャザー１６，１６が形成されている。腹側部材２の左右の脚開口部９ａ，９ｂには、脚周りギャザー１７，１７が形成されている。背側部材３の左右の脚開口部９ａ，９ｂには、脚周りギャザー１８，１８が形成されている。股部材４の左右の脚開口部９ａ，９ｂ及びその周辺の股部弾性部材２５（すなわち、２５ａ，２５ｂ及び２５ｃ）が延在する領域には、股部ギャザー１９，１９が形成されている。
【００１８】
図３に示すように、使い捨ておむつ１の腹側部材２及び背側部材３は、着用時に着用者側に位置する内面シート１０１と、着用者と反対側に位置する外面シート１０２とが、それらの間に伸長状態で適宜配置された胴周り弾性部材１２、第１脚周り弾性部材１３及び第２脚周り弾性部材１４を挟んで、貼り合わされた構造を含む積層体を、裁断予定線Ｃに沿って切り分けることによって形成される。腹側部材２の下端縁１０及び背側部材３の下端縁１１は、共通の裁断予定線Ｃで裁断されて形成されるものであり、伸展された状態で突き合わされたときに、一致する。
【００１９】
使い捨ておむつ１の内面シート１０１及び外面シート１０２の材料は、ポリエチレン、ポリプロピレン、ポリエステル、ナイロン、レーヨン等の化学繊維、綿、セルロース等の天然繊維、又はこれらの組合せなどからなる不織布である。なお、該材料は、不織布に限らず、樹脂フィルム、ティッシュ、伸縮材、若しくは、それらの積層体、又はそれらを適宜つなぎ合わせてシート状としたものでもよい。  
【００２０】
図４に示すように、伸展された状態の腹側部材２は、長方形において一長辺の両端を除く部分が内側に略台形状に凹んだ形状をしている。腹側部材２の胴周り方向の両端部２ａ，２ｂ及び上端縁７は、直線状である。腹側部材２の下端縁１０は、一対の両端ライン１０ａ，１０ａと、一対の傾斜ライン１０ｂ，１０ｂと、中央ライン１０ｃを含んでいる。両端ライン１０ａ，１０ａは、腹側部材２の胴周り方向に略平行であり、両端部２ａ，２ｂから接合部５ａ，５ｂを少し越えた位置まで延びる。傾斜ライン１０ｂ，１０ｂは、両端ライン１０ａ，１０ａから、腹側部材２の股部材４と重なる領域である中央部２ｃの左右境界まで、上端縁７側へ次第に上昇して延びる。中央ライン１０ｃは、胴周り方向に略平行であり、両傾斜ライン１０ｂ，１０ｂ間をつないでいる。
【００２１】
図４に示すように、伸展された状態の背側部材３は、長方形において一長辺の両端を除く部分が外側に略台形状に突出した形状をしている。背側部材３の胴周り方向の両端部３ａ，３ｂ及び上端縁８は、直線状である。背側部材３の下端縁１１は、一対の両端ライン１１ａ，１１ａと、一対の傾斜ライン１１ｂ，１１ｂと、中央ライン１１ｃを含んでいる。両端ライン１１ａ，１１ａは、背側部材３の胴周り方向に略平行であり、両端部３ａ，３ｂから接合部５ａ，５ｂを少し越えた位置まで延びる。傾斜ライン１１ｂ，１１ｂは、両端ライン１１ａ，１１ａから、背側部材３の股部材４と重なる領域である中央部３ｃの左右境界まで、上端縁８と反対側へ次第に下降して（図４においては上昇して）延びる。中央ライン１１ｃは、胴周り方向に略平行であり、両傾斜ライン１１ｂ，１１ｂ間をつないでいる。
【００２２】
図４に示すように、腹側部材２の胴周り方向ないし左右方向の長さ、すなわち腹側部材２の直線状の上端縁７の長さは、背側部材３の胴周り方向ないし左右方向の長さ、すなわち背側部材３の直線状の上端縁８の長さと略等しい。また、腹側部材２の股上、すなわち腹側部材２の上端縁７から下端縁１０までの距離は、両接合部５ａ，５ｂ付近で最長となり、股部材４と重なる中央部２ｃの左右境界付近で最短となる。背側部材３の股上、すなわち背側部材３の上端縁８から下端縁１１までの距離は、両接合部５ａ，５ｂ付近で最短となり、股部材４と重なる中央部３ｃの左右境界付近で最長となる。腹側部材２の両端部２ａ，２ｂ、背側部材３の両端部３ａ，３ｂ、及び両部材の接合部５ａ，５ｂの各股上は略等しい。腹側部材２の接合部５ａ，５ｂでの股上と腹側部材２の中央部２ｃの左右境界での股上との差、及び、背側部材３の中央部３ｃの左右境界での股上と背側部材３の接合部５ａ，５ｂでの股上との差は、大人用の使い捨ておむつでは、３〜１２ｃｍであり、より望ましくは５〜９ｃｍである。
【００２３】
図４に示すように、股部材４は、腹側部材２及び背側部材３の各中央部２ｃ,３ｃの内面シート１０１，１０１に接合される。内面シート１０１が使い捨ておむつ１の内側になるように股部材４を二つ折りして、腹側部材２の両端部２ａ，２ｂを、背側部材３の両端部３ａ，３ｂにそれぞれ重ね合わせる。重ね合わせた両端部２ａ，３ａ及び２ｂ，３ｂに沿って接合部５ａ，５ｂが形成される。接合部５ａ，５ｂは、接着剤による接着、ヒートシール、超音波シール等の様々なシール方法で形成することができる。接合部５ａ，５ｂは、腹側部材２及び背側部材３の上端縁７，８と、下端縁の平行な両端ライン１０ａ，１０ｂ，１１ａ，１１ｂとの間の領域に形成される。そのため、両端部２ａ，２ｂ，３ａ，３ｂの上下長全体に沿って、且つ十分な幅で、接合部５ａ，５ｂを形成することができる。接合部５ａ，５ｂは、両端部２ａ，２ｂ，３ａ，３ｂの上下長全体に亘って間欠的に形成される。なお、接合部５ａ，５ｂは、これに限られず、両端部２ａ，２ｂ，３ａ，３ｂの上下長全体に亘って連続的に形成されてもよい。
【００２４】
図４に示すように、腹側部材２及び背側部材３の胴周り方向の両端部２ａ,３ａ及び２ｂ，３ｂに沿って形成された接合部５ａ，５ｂの下部及びその周辺には、接合部５ａ，５ｂの一部に重なって形成された位置決め用接合部Ｋ１，Ｋ２が形成されている。位置決め用接合部Ｋ１は端部２ａ，３ａに接しておらず、位置決め用接合部Ｋ２は端部２ｂ，３ｂに接していない。なお、これに限らず、位置決め用接合部は、前記各端部に接していてもよい。また、位置決め用接合部は、接合部５ａ，５ｂに重ならずに、接合部５ａ，５ｂの一部として形成されてもよい。また、位置決め用接合部は、接合部５ａ，５ｂに重ならずに、接合部５ａ，５ｂの周辺に形成されてもよい。
【００２５】
図３及び図４に示すように、胴周り弾性部材１２，第１弾性部材である第１脚周り弾性部材１３，及び第２脚周り弾性部材１４は、いずれも、一群の複数の糸状の弾性部材である。各糸状の弾性部材は、伸長された状態で、腹側部材２及び背側部材３を構成する内面シート１０１又は外面シート１０２上に適宜配置されて接着される。両シート１０１，１０２は、各弾性部材を間に挟んで、貼り合わされる。
【００２６】
図３及び図４に示すように、胴周り弾性部材１２は、胴周り弾性部材１２ａ，１２ｂ，１２ｃ，１２ｄ，１２ｅ，及び１２ｆを含んでいる。胴周り弾性部材１２ａ，１２ｂ，及び１２ｃは、腹側部材２の胴周り方向に伸長された状態で配置されている。胴周り弾性部材１２ａは、腹側部材２の上端縁７に沿った腰開口部６及びその周辺の領域に配置されている。胴周り弾性部材１２ｂは、胴周り弾性部材１２ａより下で腹側部材２の中央ライン１０ｃより上の領域に配置されている。胴周り弾性部材１２ｃは、胴周り弾性部材１２ｂより下で、第１脚周り弾性部材１３の両端部より上の領域に配置されている。図３に示すように、胴周り弾性部材１２ｃは裁断予定線Ｃを横切る。そのため、胴周り弾性部材１２ｃの一部は、背側部材３の中央ライン１１ｃの周辺に延在している。
【００２７】
図３及び図４に示すように、胴周り弾性部材１２ｄ，１２ｅ，及び１２ｆは、背側部材３の胴周り方向に伸長された状態で配置されている。胴周り弾性部材１２ｄは、背側部材３の上端縁８に沿った腰開口部６及びその周辺の領域に配置されている。胴周り弾性部材１２ｅは、胴周り弾性部材１２ｄより下、すなわち下端縁１１側の領域に配置されている。胴周り弾性部材１２ｆは、胴周り弾性部材１２ｅより下、すなわち下端縁１１側であって、第２脚周り弾性部材１４より上、すなわち上端縁８側の領域に配置されている。背側部材３の胴周り弾性部材１２ｄ，１２ｅ，及び１２ｆの配置された領域の上下長、すなわち胴周り方向と垂直な方向の長さは、それぞれ、腹側部材２の胴周り弾性部材１２ａ，１２ｂ，及び１２ｃの配置された領域の上下長と略等しい。
【００２８】
腹側部材２の胴周り弾性部材１２ａ、１２ｂ、及び１２ｃの中で、構成要素の糸状の各弾性部材の配列間隔は、胴周り弾性部材１２ａが最も狭く、胴周り弾性部材１２ｂが２番目に狭く、胴周り弾性部材１２ｃが最も広い。背側部材３の胴周り弾性部材１２ｄ，１２ｅ，及び１２ｆの該配列間隔は、それぞれ、腹側部材２の胴周り弾性部材１２ａ，１２ｂ，及び１２ｃの該配列間隔と略等しい。なお、本実施形態では、胴周り弾性部材１２ａの構成要素である糸状の各弾性部材の配列間隔が略等しくなっているが、これに限らず、等間隔でなくてもよい。他の胴周り弾性部材１２ｂから１２ｆについても同様である。胴周り弾性部材１２の配列間隔は、上記に限られず、着用者の身体各部の形状を考慮してフィット性や外観性の向上を図るために適宜調整することができる。
【００２９】
本実施形態では、腹側部材２の胴周り弾性部材１２ａから１２ｃ及び第１脚周り弾性部材１３並びに第２脚周り弾性部材１４は、単位長さ当たりの張力及び延伸倍率が同じである。これに対して、背側部材３の胴周り弾性部材１２ｄから１２ｆは、腹側部材２の胴周り弾性部材１２ａから１２ｃよりも、延伸倍率が低くなっている。すなわち、腹側部材２の胴周り弾性部材１２は、背側部材３の胴周り弾性部材１２よりも、高い張力を有している。腹側部材２及び背側部材３は、胴周り方向の長さが略等しい。図１に示すように、腹側部材２が背側部材３よりも胴周り方向に縮んで、接合部５ａ，５ｂが使い捨ておむつ１の腹側部材２の側すなわち正面側に現れる。
【００３０】
なお、本実施形態の変形例として、腹側部材２の胴周り弾性部材１２の張力を、１２ａ，１２ｂ，１２ｃの順に高くしてもよい。また、背側部材３の胴周り弾性部材１２の張力を、１２ｄ，１２ｅ，１２ｆの順に高くしてもよい。このようにして、腹側部材２及び背側部材３の胴周り弾性部材１２の張力が、腰開口部６から下方の脚開口部９ａ，９ｂへ向かって、領域毎に又は段階的に低くなるようにしてもよい。このように変形した使い捨ておむつ１は、腰開口部６が縮んで、腰開口部６から下方の脚開口部９ａ，９ｂへ向かって広がる形状とすることをより詳細に調節して、着用者へのフィット性を向上させることができる。なお、胴周り弾性部材１２の張力は、腰開口部２から下方の脚開口部９ａ，９ｂへ向かって、領域毎にではなく、弾性部材１本ごとに次第に低くなるようにしてもよい。弾性部材の張力を異なるものとするためには、弾性部材の延伸倍率を異なるものとしてもよく、異なる弾性率の弾性部材を使用してもよい。
【００３１】
図３及び図４に示すように、第１弾性部材である第１脚周り弾性部材１３は、腹側部材２の左右の脚開口部９ａ，９ｂを形成する下端縁１０に沿って延びるのではなく、腹側部材２の両接合部５ａ，５ｂの下部から胴周り方向の中央まで上端縁７側へ上昇して延在している。第１脚周り弾性部材１３は、各接合部５ａ，５ｂの下部から、胴周り弾性部材１２ａの下端付近の中央へ向かう方向に、略直線状に延びている。第１脚周り弾性部材１３が延在する、腹側部材２の股部材４と重なる領域及びその周辺の脚開口部９ａ，９ｂの領域は、着用者へのフィット性が良い。第１脚周り弾性部材１３の中央部分は、緩やかな曲線状である。第１脚周り弾性部材１３の張力は、第１脚周り弾性部材１３が左接合部５ａの下部から右接合部５ｂの下部まで直線状に延びるように働くので、腹側部材２の上端縁７の中央部７ａを引き下げる力を生じさせる。これにより、使い捨て下着１は、腹側部材２の上端縁７の中央部７ａが、背側部材３の上端縁８よりも下がっている。なお、第１脚周り弾性部材１３を構成する各糸状の弾性部材は、並行しており、配列間隔が略等しいが、これに限らず、並行してなくてもよく、配列間隔が等しくなくてもよい。
【００３２】
図３及び図４に示すように、第２脚周り弾性部材１４は、背側部材３の両接合部５ａ，５の下部から中央ライン１１ｃまで上端縁８と反対側へ下降して延在している。第２脚周り弾性部材１４は、各接合部５ａ，５ｂの下部から、中央ライン１１ｃの左右端部まで、略直線状に延びている。背側部材３の第２脚周り弾性部材１４が延在する領域は、着用者へのフィット性が良い。第２脚周り弾性部材１４は、背側部材３の股部材４と重なる中央部３ｃ及びその左右周辺の領域で、胴周り弾性部材１２ｃと交差している。図３に示すように、第２脚周り弾性部材１４は、裁断予定線Ｃを横切る。そのため、第２脚周り弾性部材１４の一部は、腹側部材２の中央部２ｃの領域に延在している。なお、第２脚周り弾性部材１４を構成する各糸状の弾性部材は、並行しており、配列間隔が略等しいが、これに限らず、並行してなくてもよく、配列間隔が等しくなくてもよい。
【００３３】
胴周り弾性部材１２，第１脚周り弾性部材１３，及び第２脚周り弾性部材１４を構成する各糸状の弾性部材は、天然ゴム、ポリウレタン系樹脂、伸縮性ホットメルト等の伸縮可能な材料により形成される。なお、各弾性部材１２，１３，１４は、糸状の弾性部材に限らず、帯状やシート状の弾性部材を使用してもよい。また、腹側部材２又は背側部材３全体を伸縮性シートなどの素材で形成してもよい。シート状の弾性部材を使用する場合や、腹側部材２又は背側部材３全体を伸縮性シートで形成する場合には、張力が各弾性部材１２，１３、及び１４の延在する方向に働くようにする必要がある。
【００３４】
図３及び図４において、非弾性領域Ｐ１、Ｐ２及びＰ３は、領域内の弾性部材の張力を消失させた領域である。弾性部材の張力を消失させる加工としては、例えば、多数の凸部やカッター刃等による弾性部材の切断や、熱シール等、適宜選択して行ってよい。
【００３５】
図３及び図４に示すように、非弾性領域Ｐ１は、腹側部材２の胴周り方向の中央に、上端縁７側に頂点を有する三角形状に形成されている。非弾性領域Ｐ１の三角形の頂点は、腹側部材２の胴周り方向の中心線上であって、胴周り弾性部材１２ｂの配置された領域の上端付近に位置している。非弾性領域Ｐ１の三角形の底辺は、下端縁１０の中央ライン１０ｃ上に位置している。非弾性領域Ｐ１を形成されたことによって、胴周り弾性部材１２ｂは中央部で分断され、下端縁１０に近いほど、張力を消失した部分が長くなる。
なお、非弾性領域Ｐ１の形状は、三角形状に限られず、腹側部材２の上端縁７側に頂点を有する先細り形状であればよく、例えば、放物線状、円弧状などでもよい。
【００３６】
図３及び図４に示すように、腹側部材２の胴周り弾性部材１２ａは、非弾性領域が形成されていないので、張力を有する部分が最も長い。胴周り弾性部材１２ｂは、非弾性領域Ｐ１によって左右に分断され、張力を有する部分が下端縁１０に近いほど短くなる。胴周り弾性部材１２ｃは、下端縁１０によって左右に分断されており、張力を有する部分は、胴周り弾性部材１２ｂよりも短く、しかも下方に向かうほど短い。
このように、非弾性領域Ｐ１を形成することによって、腹側部材２は、腰開口部６から下方の脚開口部９ａ，９ｂへ向かうに従って、胴周り弾性部材１２の張力を有する部分の長さが短くなる。そのため、図１に示すように、腹側部材２は、腰開口部６が縮んで、腰開口部６から下方の脚開口部９ａ，９ｂへ向かって緩やかに広がる形状となる。使い捨ておむつ１は、腰周りから両脚付け根へ向かって幅広となる体形を通常有する着用者へのフィット性が良い。
【００３７】
図１、図３及び図４に示すように、非弾性領域Ｐ１によって、第１脚周り弾性部材１３は、その中央に三角形状に張力を消失した部分を形成され、張力を有する部分を中央で分断されている。しかし、左右の接合部５ａ，５ｂの下部から中央まで上端縁７側へ上昇して延びる略直線状部分には、非弾性領域がない。第１脚周り弾性部材１３の左右に分断された張力を有する部分同士が、左接合部５ａの下部から中央まで上端縁７側へ略直線状に上昇する方向の張力と、右接合部５ｂの下部から中央まで上端縁７側へ略直線状に上昇する方向の張力とで引き合うことによって、腹側部材２の中央部を引き下げる力を生じさせている。これにより、図１に示すように、使い捨ておむつ１は、腹側部材２の上端縁７が、その中央部７ａを最下方位置として、背側部材３の上端縁８よりも下がっている。
【００３８】
図２から図４に示すように、非弾性領域Ｐ２は、背側部材３の中央部３ｃの中央ライン１１ｃ上に一長辺を有する略長方形状に形成されている。非弾性領域Ｐ２の左右幅は、非弾性領域Ｐ１の三角形の底辺の幅と同じである。非弾性領域Ｐ２を形成されたことによって、胴周り弾性部材１２ｃの中央部、及び、第２脚周り弾性部材１４の一部は、張力を消失されている。
【００３９】
図２から図４に示すように、非弾性領域Ｐ３は、背側部材３の胴周り方向の中央に、上端縁８側を頂点とする略三角形と、該三角形の底辺と同幅の略長方形とを結合した形状、言わばホームベース形状に形成されている。非弾性領域Ｐ３の三角形部分の頂点は、背側部材３の胴周り方向の中心線上であって、胴周り弾性部材１２ｅの配置された領域内の上部に位置している。非弾性領域Ｐ３の三角形部分の底辺は、胴周り弾性部材１２ｅと胴周り弾性部材１２ｆとの間に位置している。非弾性領域Ｐ３の長方形部分の下端縁１１ｃ側の底辺は、胴周り弾性部材１２ｆより下端縁１１側に位置している。非弾性領域Ｐ３の左右幅は、非弾性領域Ｐ１及びＰ２の各左右幅よりも大きい。非弾性領域Ｐ３を形成されたことによって、胴周り弾性部材１２ｅは、中央部で分断され、下端縁１１に近いほど、張力を消失した部分が長くなる。胴周り弾性部材１２ｆは、その中央部に、張力を消失された部分が広がっている。なお、非弾性領域Ｐ３の形状は、ホームベース形状に限られず、背側部材３の上端縁８側に頂点を有する先細り形状であればよい。
【００４０】
図３及び図４に示すように、背側部材３の胴周り弾性部材１２ｄは、非弾性領域が形成されていないので、張力を有する部分が最も長い。胴周り弾性部材１２ｅは、非弾性領域Ｐ３によって左右に分断され、張力を有する部分が下端縁１１に近いほど短くなる。胴周り弾性部材１２ｆは、非弾性領域Ｐ３によって左右に分断されており、張力を有する部分の長さは、胴周り弾性部材１２ｅの最も下端縁１１寄りにある張力を有する部分の長さと同じである。このように、非弾性領域Ｐ３を形成することによって、背側部材３は、腰開口部６から下方の脚開口部９ａ，９ｂへ向かうに従って、胴周り弾性部材１２の張力を有する部分の長さが短くなる。そのため、図２に示すように、背側部材３は、腰開口部６が縮んで、腰開口部６から下方の脚開口部９ａ，９ｂへ向かって緩やかに広がる形状となる。使い捨ておむつ１は、腰周りから両脚付け根へ向かって幅広となる体形を通常有する着用者へのフィット性が良い。
【００４１】
図４に示すように、非弾性領域Ｐ１，Ｐ２，及びＰ３は、腹側部材２及び背側部材３に股部材４が接合されたときに、股部材４に配置される吸収体２０の内側となる位置に、形成されている。非弾性領域Ｐ１，Ｐ２，及びＰ３によって、吸収体２０を配置される領域に含まれる弾性部材の主要な部分は、張力を消失されている。これにより、弾性部材の張力より吸収体２０が変形したり縮んだりするのが抑制される。
【００４２】
図１及び図２に示すように、腰周りギャザー１５，１５は、腹側部材２及び背側部材３の腰開口部６及びその周辺であって、胴周り弾性部材１２ａ又は１２ｄが配置された領域に形成されている。腰周りギャザー１５，１５は、使い捨ておむつ１の腰開口部６を着用者に適度に密着させて、おむつ１のずり下がりや、腰開口部６からの排泄物等の漏れを防止する。
【００４３】
図１及び図２に示すように、胴周りギャザー１６，１６は、腹側部材２及び背側部材３の腰周りギャザー１５，１５の領域の下で、胴周り弾性部材１２ｂ及び１２ｃ、又は、胴周り弾性部材１２ｅ及び１２ｆが配置された領域に形成されている。胴周りギャザー１６，１６は、使い捨ておむつ１の腹側部材２及び背側部材３を着用者に適度に密着させ、かつ、非弾性領域Ｐ１，Ｐ２及びＰ３により股部材４及び吸収体２０の変形を抑制されつつ、おむつのフィット性を高め、排泄物等の漏れを防止する。
【００４４】
図１に示すように、脚周りギャザー１７，１７は、腹側部材２の左右の脚開口部９ａ，９ｂ及びその周辺であって、第１脚周り弾性部材１３が配置された領域に形成されている。図１及び図２に示すように、脚周りギャザー１８，１８は、背側部材３の左右の脚開口部９ａ，９ｂ及びその周辺であって、第２脚周り弾性部材１４が配置された領域に形成されている。脚周りギャザー１７，１７及び１８，１８は、使い捨ておむつ１の左右の脚開口部９ａ，９ｂを着用者に適度に密着させ、脚開口部９ａ，９ｂからの排泄物等の漏れを防止する。
【００４５】
図４から図６に示すように、股部材４は、股部材本体である股部シート４と、吸収材２１を上層ティッシュ２２ａ及び下層ティッシュ２２ｂで包んだ吸収体２０と，トップシート２３と、バックシート２４と、股部シート４に伸長された状態で適宜配置される股部弾性部材２５と、腹側接合部Ｊ１及び背側接合部Ｊ２を含んでいる。
【００４６】
図４に示すように、股部材４の本体である股部シート４は、腹側部材２の中央部２ｃと背側部材３の中央部３ｃとに架け渡されて、各内面シート１０１上に接合される。股部シート４は、腹側部材２に重なる面のほぼ全面である腹側接合部Ｊ１、及び、背側部材３に重なる面のほぼ全面である背側接合部Ｊ２を、それぞれ腹側部材２及び背側部材３に接着剤で接合される。股部シート４の材料は、不織布を使用しているが、これに限らず、腹側部材２及び背側部材３の内面シート１０１及び外面シート１０２と同様の材料を使用することができる。
【００４７】
図４から図６に示すように、股部シート４は、腹側部材２と背側部材３に架け渡される方向を長手方向とする、略長方形状である。股部シート４の腹側端縁４ｃは、腹側部材２の胴周り弾性部材１２ａと胴周り弾性部材１２ｂとの間に位置する。股部シート４の背側端縁４ｄは、背側部材３の胴周り弾性部材１２ｅの領域内の上部に位置する。股部シート４の幅方向の両端部が吸収体２０側へ折り返され、その折り目が股部材４の左右側縁４ａ，４ｂを形成している。股部シート４の折り返し片の端縁４ｅ，４ｆは、股部シート４に配置される吸収体２０の最大幅部分の左右の外縁に位置する。なお、これに限らず、股部シート４の折り返し片の端縁４ｅ，４ｆは、吸収体２０の内縁に位置してもよい。股部材４の幅、すなわち左右側縁４ａ，４ｂ間の距離は、吸収体２０の最大幅よりも広くなっている。なお、股部シート４の形状は、略長方形状に限られず、腹側端縁又は背側端縁が曲線である帯状であってもよい。股部材４が腹側部材２又は背側部材３に接合される位置及び大きさは、前記したものに限られず、おむつのサイズや形状に合わせて適宜変更してよい。
【００４８】
図４から図６に示すように、吸収体２０は、股部シート４の中央に配置される。吸収体２０の長手方向の長さは、股部シート４の長手方向の長さより少し短い。吸収体２０の長さは、着用者の鼠蹊部上端から仙骨上端までの長さが好ましい。吸収体２０の腹側の最大幅は、着用者の鼠蹊部の幅に合わせることが好ましい。吸収体２０の背側の最大幅は、腹側の最大幅と同じであるが、これに限らず、腹側の最大幅より大きくしてもよい。吸収体２０は、砂時計形状に形成されており、最大幅を有する腹側幅広部２０ａ及び背側幅広部２０ｃの間に、最小幅を有するくびれ部２０ｂを有している。吸収体２０は、吸収紙、綿状パルプ、高分子吸収材などの組合せで構成されており、尿や血液などの液状体を素早く吸収して、内部に保持する。
【００４９】
図６に示すように、吸収体２０は、下から順に、下層ティッシュ２２ｂ、吸収材２１、上層ティッシュ２２ａが積層されており、上層ティッシュ２２ａの上に下層ティッシュ２２ｂの折り返し片が重ねられて接合された構造を有する。吸収材２１は、粉砕パルプと高分子吸収材を混合して成形される。上層ティッシュ２２ａは、吸収材２１の上面全体を覆う吸収紙である。下層ティッシュ２２ｂは、吸収材２１の下面全体を覆う吸収紙である。
【００５０】
図６に示すように、股部材４は、下から順に、股部シート４、バックシート２４、吸収体２０、トップシート２３が積層され、トップシート２３の上に股部シート４の折り返し片が重ねられ接合された構造を有する。トップシート２３は、吸収体２０の上面全体を覆うシート部材であり、使い捨ておむつ１の内側において着用者の肌に触れる側に配置される。トップシート２３は、例えば、不織布などの液透過性材料から形成され、おむつ１内に排出された尿や血液等を透過させて、吸収体２０へ送る。バックシート２４は、吸収体２０の下面全体を覆うシート部材であり、股部シート４上に固定される。バックシート２４は、例えば、ポリエチレンフィルムなどの液不透過性材料から形成され、トップシート２３を透過した液状体、吸収体２０が吸収しきれなかった液状体が股部シート４や外部へ漏れるのを防止する。
【００５１】
図４から図６に示すように、股部弾性部材２５は、股部側縁弾性部材２５ａ、腹側接続弾性部材２５ｂ、股部底弾性部材２５ｃを含んでいる。股部弾性部材２５はいずれも、股部シート４の長手方向に伸長された状態で配置される。各股部弾性部材２５の破線で示した部分は、伸張された状態の各股部弾性部材２５が股部シート４と接着剤などで接合される部分であり、張力を有する部分である。股部弾性部材２５は、胴周り弾性部材１２、第１脚周り弾性部材１３、及び第２脚周り弾性部材１４よりも、高い張力を有している。股部弾性部材２５のうち、腹側接続弾性部材２５ｂは、最も高い張力を有している。
【００５２】
図４から図６に示すように、股部側縁弾性部材２５ａは、股部シート４とその左右の折り返し片との間で接合される。股部側縁弾性部材２５ａは、股部材４の左右端部４ａ，４ｂである折り目に１本ずつ、それより中央寄りに１本ずつ、配置されている。股部側縁弾性部材２５ａの張力を有する部分は、腹側部材２に重ねられて接合される腹側接合部Ｊ１、及び、背側部材３に重ねられて接合される背側接合部Ｊ２との間に、間隙を有している。言わば、股部側縁弾性部材２５ａは、腹側接合部Ｊ１及び腹側部材２に接続されておらず、背側接合部Ｊ２及び背側部材３にも接続されていない。使い捨ておむつ１が着用されたときに、股部側縁弾性部材２５ａの張力を有する部分は、腹側の端部が、着用者の恥骨付近に位置し、背側の端部が、着用者の坐骨付近に位置することが好ましい。
【００５３】
図４から図６に示すように、腹側接続弾性部材２５ｂは、股部シート４とバックシート２４との間で接着材などで接合される。腹側接続弾性部材２５ｂは、左右の股部側縁弾性部材２５ａより中央側に、１本ずつ配置されている。腹側接続弾性部材２５ｂは、吸収体２０の腹側の最大幅部分２０ａの左右外縁に沿って、股部材４の長手方向に延在している。腹側接続弾性部材２５ｂの張力を有する部分の腹側の端部は、股部材４の腹側接合部Ｊ１に重なる位置にある。股部材４が腹側接合部Ｊ１で腹側部材２に接合されることにより、腹側接続弾性部材２５ｂは腹側部材２に接続される。腹側接続弾性部材２５ｂの背側の端部は、股部材４の背側接合部Ｊ２に重ならず、背側部材３に接続されない。腹側接続弾性部材２５ｂの背側の端部は、股部側縁弾性部材２５ａの背側の端部よりも、腹側接合部Ｊ１寄りにある。使い捨ておむつ１が着用されたとき、腹側接続弾性部材２５ｂの張力を有する部分は、腹側の端部が、着用者の鼠蹊部上部に位置し、背側の端部が、着用者の坐骨付近に位置することが好ましい。
図１に示すように、腹側部材２に接続された腹側接続弾性部材２５ｂの張力は、腹側部材２の胴周り弾性部材１２及び第１脚周り弾性部材１３に対して横切る方向に働いて、腹側部材２を股部材４側に引き寄せるので、腹側部材２の上端縁７の中央部７ａを引き下げる。
【００５４】
使い捨ておむつ１が着用者に着用されるとき、股部材４の一対の腹側接続弾性部材２５ｂ，２５ｂが腹側部材２に接続されており、腹側部材２と股部材４は互いに引き合うので、着用者へのフィット性が高い。一対の腹側接続弾性部材２５ｂ，２５ｂは、吸収体２０の腹側の最大幅部分の両外縁に位置しており、着用者の鼠蹊部の両外側に位置する。股部材４の左右側部は、股部側縁弾性部材２５ａ及び腹側接続弾性部材２５ｂを長手方向に沿って接合されており、ギャザーが形成される。股部材４のギャザーを形成された左右側部は、腹側部材２に接続された腹側接続弾性部材２５ｂの張力により、両側壁のように立ち上がり、立体ギャザーの機能を発揮する。股部側縁弾性部材２５ａは腹側部材２にも背側部材３にも接続されていないので、股部材４の幅は、着用者の体形や動きに応じて伸縮可能である。このようにして、股部材４は、着用者の腹側から股間にかけての部分の側面及び底面を覆う立体的な形状となり、フィット性が高い。股部材４は、股部側縁弾性部材２５ａ、腹側接続弾性部材２５ｂの張力によって立体的形状を維持し、股部材４の左右側縁４ａ，４ｂからの排泄物の漏れを防止できる。
【００５５】
図４に示すように、股部材４の背側部材３に接合される部分は、吸収体２０の背側の最大幅よりも広い幅を有している。なお、本実施形態の吸収体２０の背側の最大幅は、腹側の最大幅と同じであるが、これに限らず、腹側の最大幅より大きくしてもよい。股部弾性部材２５は背側部材３に接続されていないので、着用者の動きにより股部弾性部材２５が収縮しても、股部材４の背側部材３に接続された部分が動かない。これより、使い捨ておむつ１は、股部材４の背側の広い幅を着用者の臀部を覆うために使用することができる。
【００５６】
図４から図６に示すように、股部底弾性部材２５ｃは、股部シート４とバックシート２４との間で接合される。股部底弾性部材２５ｃは、腹側接続弾性部材２５ｂ，２５ｂより中央側に、１本ずつ配置されている。股部底弾性部材２５ｃの張力を有する部分は、股部材４に配設される吸収体の形状に合わせて配置されるのが好ましい。吸収体２０が砂時計形状である場合は、股部底弾性部材２５ｃは、吸収体２０の最小幅部分であるくびれ部２０ｂの左右側縁と、吸収体２０の腹側の最大幅部分の外縁にある腹側接続弾性部材２５ｂとの間の隙間領域に、吸収体２０に重ならないように配置される。股部底弾性部材２５ｃは、上記隙間領域にギャザーを形成して、股部材４の底部のダブつきを抑え、着用者にフィットさせる。また、股部材４の底部の形状を安定させる。なお、股部底弾性部材２５ｃは左右に１本ずつに限らず、複数本形成してもよい。吸収体２０の腹側の最大幅と最小幅の差が小さく、上記隙間領域が小さい場合には、股部底弾性部材２５ｃは無くてもよい。
【００５７】
本実施形態では、股部側縁弾性部材２５ａが左右２本ずつ、腹側接続弾性部材２５ｂが左右１本ずつ、股部底弾性部材２５ｃが左右１本ずつであるが、これに限られない。
股部弾性部材２５は、胴周り弾性部材１２，第１脚周り弾性部材１３，第２脚周り弾性部材１４と同様に、天然ゴム、ポリウレタン樹脂、伸縮性のホットメルト等の伸縮可能な糸状の材料により形成される。また、糸状の弾性部材だけでなく、帯状やシート状の弾性部材を使用することも可能である。また、股部ギャザー１９が形成される領域全体を伸縮性シートなどの素材で形成してもよい。シート状の弾性部材を使用する場合や、股部ギャザー１９が形成される領域全体を伸縮性シートで形成する場合には、張力が、糸状の各股部弾性部材２５の延在する方向に働くようにする必要がある。
【００５８】
図７、図８、及び図９は、それぞれ、本実施形態の使い捨ておむつ１が着用された状態を示す正面図、背面図、及び左側面図である。破線Ａ―Ａは、着用者のへそ周りの水平ラインである。破線Ｂは、着用者の腸骨稜から上前腸骨棘に沿ったラインである。破線Ｚ−Ｚは、着用者の垂直方向の中心線である。
【００５９】
図１及び図７に示すように、本実施形態の使い捨ておむつ１は、腹側部材２の第１脚周り弾性部材１３が、両接合部５ａ，５ｂから胴周り方向の中央まで上端縁７側へ略直線状に延在している。第１脚周り弾性部材１３は、胴周り弾性部材１２よりも長い。第１脚周り弾性部材１３は、非弾性領域Ｐ１によって中央で分断されているものの、各接合部５ａ，５ｂから胴周り方向の中央まで上端縁７側へ略直線状に延在する部分同士が、互いに引き合うことによって、腹側部材２の上端縁７の中央部７ａを引き下げる。また、股部材４の腹側接続弾性部材２５ｂは、腹側部材２に接続されており、腹側部材２の上端縁７の中央部７ａを引き下げる。他方、腹側部材２には胴周り弾性部材１２による胴周り方向の張力が働いているので、腹側部材２の上端縁７の中央部７ａが下がるのを抑制する。また、非弾性領域Ｐ１は、腰開口部６から下方の脚開口部９ａ，９ｂへ向かうに従って、胴周り弾性部材１２の張力を有する部分の長さを短くし、胴周り弾性部材１２の張力を弱めているので、腹側部材２の上端縁７の中央部７ａが引き下げられるのを助長する。更に、腹側部材２の胴周り弾性体１２の張力は、背側部材３の胴周り弾性体１３の張力よりも強いので、腹側部材２は背側部材３よりも胴周り方向に縮み、使い捨ておむつ１の胴周り方向の両端部に沿った接合部５ａ，５ｂの上部が、腹側部材２の中央側へ引き寄せられ、腹側部材２の上端縁７の中央部７ａが引き下げられるのを助長する。このような第１脚周り弾性部材１３、腹側接続弾性部材２５ｂ、胴周り弾性部材１２、及び非弾性領域Ｐ１の作用のバランスした位置まで、腹側部材２の上端縁７が下がり、かかる位置で安定する。これにより、図１及び図７に示すように、使い捨ておむつ１は、腹側部材２の上端縁７が、その中央部７ａを最下方として、背側部材３の上端縁８より下がっている。なお、本実施形態では、第１脚周り弾性部材１３、腹側接続弾性部材２５ｂ、胴周り弾性部材１２、及び非弾性領域Ｐ１の全てを用いて、使い捨ておむつ１の腹側部材２の上端縁７の中央部７ａが背側部材３の上端縁８より下がることを達成しているが、これに限らず、第１脚周り弾性部材１３、腹側接続弾性部材２５ｂ、胴周り弾性部材１２、又は非弾性領域Ｐ１を単独で又は適宜組合せて用いることで達成してもよい。
【００６０】
図７及び図９に示すように、使い捨ておむつ１が着用されたとき、腹側部材２の上端縁７は、着用者のへそ周りラインＡより下方にある。腹側部材２の上端縁７は、両接合部５ａ，５ｂから、着用者の腸骨稜から上前腸骨棘を通るラインＢの角度に合わせて下降し、上端縁７の中央部７ａを最下方とする。これにより、使い捨ておむつ１は、腹側部材２の胴周り弾性部材１２がへそ周りを通らないので、へそ周りを圧迫しない。また、使い捨ておむつ１は、腰開口部６が腸骨稜の上に掛かって止まるので、着用位置が安定する。また、脚周り弾性部材１３は、着用者の動いた脚に当たることで、元の位置に戻りやすいので、使い捨ておむつ１の着用位置が安定する。また、使い捨ておむつ１は、股上、特に腹側の股上が短いので、ズボンやスカートからはみ出さない。また、使い捨ておむつ１は、着用者の腹側を覆う面積が小さいので着用感が良く、少ない資材で製造できる。
【００６１】
図１及び図２に示すように、腹側部材２の上端縁７側に頂点を有する略三角形状である非弾性領域Ｐ１、及び、背側部材３の上端縁８側に先細りの略ホームベース形状である非弾性領域Ｐ３は、腰開口部６から下方の脚開口部９ａ，９ｂへ向かうに従って、胴周り弾性部材１２の張力を有する部分の長さを短くし、胴周り弾性部材１２の胴周り方向の張力を弱めている。そのため、腹側部材２及び背側部材３は、腰開口部６が縮んで、腰開口部６から下方の脚開口部９ａ，９ｂへ向かって広がる形状となる。これにより、図７及び図８に示すように、使い捨ておむつ１は、着用者の腰周りから両脚付け根へ向かって幅広となる体形に良くフィットし、着用者が座位や前屈姿勢を取っても、腰開口部６が下がることを抑制する。また、図８の背面図に示すように、使い捨ておむつ１が着用者に着用されたとき、背側部材３は、上端縁８が着用者のへそ周りの水平ラインＡ−Ａより少し下に略水平に位置しており、着用者の骨盤を覆う広さがある。
【００６２】
図９に示すように、使い捨ておむつ１が着用されたとき、着用者のへそ周りの水平ラインＡ−Ａに対して、腹側部材２の上端縁７及び背側部材３の上端縁８で囲まれて形成される腰開口部６は、腸骨稜から上前腸骨棘を通るラインＢの角度に合わせて、腹側部材２の上端縁７の中央部７ａが下がった斜めのラインになる。また、腹側部材２の胴周り弾性部材１２は、背側部材３の胴周り弾性部材１２よりも高い張力を有しているので、着用者の垂直方向の中心線Ｚ−Ｚに対して、腹側部材２と背側部材３の接合部５ｂは、上端部が腹側にあり、下端部が背側にある、斜めのラインになる。更に、腹側部材２の股部材４との境界付近は上下長つまり股上が短く、背側部材３の中央部の上下長つまり股上は長いので、腹側部材２の下端縁１０及び背側部材３の下端縁１１で形成される脚開口部９ｂは、斜めのラインになる。このように、使い捨ておむつ１は、着用者の中心線Ｚ−Ｚに対して、斜めに着用されており、腹側部材２の股上を短くする一方で、背側部材３の股上を長くし、両者の股上を必要且つ十分で無駄のない長さにすることができる。
【００６３】
次に、本実施形態の使い捨ておむつ１の製造方法について説明する。
図３に示すように、まず、内面シート１０１又は外面シート１０２に、各弾性部材１２，１３，１４を適宜配置して接着する。このとき、糸状の各弾性部材の表面に接着剤等が塗布されていてもよいし、スプレーコート等により、内面シート１０１及び外面シート１０２の弾性部材を挟む面に接着剤を塗布されていてもよい。糸状の各弾性部材は、それぞれ、必要となる張力に応じて伸長された状態で、内面シート１０１及び外面シート１０２に接合される。次に、各弾性部材１２，１３，１４を間に挟んで、内面シート１０１及び外面シート１０２を貼り合わせて、積層体を形成する。次に、積層体に弾性部材１２，１３，又は１４の一部の張力を消失させる加工を行って、非弾性領域Ｐ１、Ｐ２，Ｐ３を形成する。弾性部材の張力を消失させる加工としては、例えば、多数の凸部やカッター刃等による弾性部材の切断や、熱シール等、適宜選択して行ってよい。次に、該積層体を裁断予定線Ｃに沿って切断して、腹側部材２と背側部材３とに切り分ける。
【００６４】
次に、図４に示すように、腹側部材２と背側部材３との間隔を広げる。次に、股部材４の一方の端部を腹側部材２に、他方の端部を背側部材３に、ホットメルト等の接着剤によって接合する。これにより、図４に示すように伸展された状態の使い捨て下着１が形成される。次に、腹側部材２及び背側部材３の内面シート１０１が内側となるように、股部材４を二つ折りして、腹側部材２及び背側部材３を重ね合わせる。次に、重ね合わせた腹側部材２及び背側部材３の両端部に沿って、熱シール、超音波シール、接着剤（ホットメルト）等により接合部５ａ，５ｂを形成して、腹側部材２と背側部材３を接合する。更に、積層体が腹側部材２及び背側部材３が流れ方向に同じ向きで連続する積層体である場合には、接合部５ａ，５ｂに沿って積層体を切断する。このようにして、使い捨ておむつ１が製造される。なお、腹側部材２及び背側部材３の両端部に沿った接合部を形成する前に、接合部の一部として又は接合部の一部に重なって又は接合部の周辺に、腹側部材２と背側部材３を部分的に接合する位置決め用接合部Ｋ１，Ｋ２を形成することを追加してもよい。
【００６５】
上述のように、本実施形態によれば、股上が短く、着用者のへそ周りを圧迫せず、着用位置が安定し、省資源である、使い捨ておむつ１を提供することができる。
【００６６】
（第２実施形態）
次に、本発明の他の実施形態の使い捨て下着について述べる。
図１０は、本実施形態の使い捨ておむつ３０の弾性部材を伸長した状態での展開図である。前述の実施形態と同様の構造及び機能を有する構成要素は、同一の符号を付し、または、重複する説明を適宜省略する。本実施形態の使い捨ておむつ３０は、非弾性領域Ｐ３１、Ｐ３２、Ｐ３３の形状が異なることを除き、前述の実施形態の使い捨ておむつ１と同じである。
【００６７】
本実施形態の使い捨ておむつ３０は、前述した実施形態の使い捨ておむつ１と異なり、非弾性領域Ｐ３１の三角形の頂点が、第１脚周り弾性部材１３の中央の下部に位置しており、第１脚周り弾性部材１３及び胴周り弾性部材１２ｂの各々の中央の上部が分断されていない。また、非弾性領域Ｐ３１、Ｐ３２，Ｐ３３の幅が、吸収体２０の最大幅部分を越えて、股部材４の左右端縁４ａ，４ｂ近傍まで広がっている。また、ホームベース形状の非弾性領域Ｐ３３の三角形部分の頂点が、吸収体２０及び股部材４の腹側端縁４ｄを越えてはみ出して形成されている。
【００６８】
使い捨ておむつ３０は、非弾性領域Ｐ３１によって第１脚周り弾性部材１３の中央の上部が分断されていないので、分断されていない第１脚周り弾性部材１３の張力は、第１脚周り弾性部材１３が左接合部５ａの下部から右接合部５ｂの下部まで直線状に延びるように働くので、腹側部材２の中央部を引き下げる力が、使い捨ておむつ１の非弾性領域Ｐ１よりも強くなる。他方、非弾性領域Ｐ３１によって分断されていない胴周り弾性部材１２ｂもある。両者のバランスを適宜調整することにより、使い捨ておむつ３０は、腹側部材２の上端縁７の中央部７ａが、背側部材３の上端縁８より下がる。
【００６９】
使い捨ておむつ３０は、使い捨ておむつ１と比べて、非弾性領域Ｐ３１、Ｐ３２，Ｐ３３の幅が、吸収体２０の最大幅部分を越えて、股部材４の左右端縁４ａ，４ｂ近傍まで広がっている。非弾性領域Ｐ３１によって、腹側部材２の股部材４と重なる領域に延在した第２脚周り弾性部材１４が全て張力を消失されるので、腹側部材２と股部材４との接続部分のしわの発生を抑制できる。また、非弾性領域Ｐ３２によって、背側部材３の中央ライン１１Ｃ付近の弾性部材の大部分の張力を消失させられるので、股部材４の背側部材３に接続される部分は、胴回り方向に縮むのが抑制され、着用者の臀部を広く覆うことができる。また、非弾性領域Ｐ３３によって、股部材４の背側部材３と重なる部分に延在する胴周り弾性部材１２ｅ，１２ｆの大部分の効力を消失させられるので、股部材４及び吸収体２０が縮んだり変形したりするのを抑制できる。
【００７０】
使い捨ておむつ３０は、非弾性領域Ｐ３３の三角形部分の頂点が、吸収体２０及び股部材４の腹側の端縁４ｄを越えて、はみ出して形成されているので、背側部材３の胴周り弾性部材１２ｅ，１２ｆの張力を消失される部分の左右幅及び上下範囲が大きくなる。そのため、背側部材３は、腰開口部６から脚開口部９ａ，９ｂへ向かって、胴周り弾性部材１２の張力が弱くなる程度が大きくなるので、腰開口部６が縮んで、腰開口部６から脚開口部９ａ，９ｂへ向かって広がる形状になるのが一層容易になる。
【００７１】
なお、使い捨ておむつ１及び使い捨ておむつ３０では、腹側部材２及び背側部材３の股部材４の重なる領域にある中央ライン１０ｃ及び中央ライン１１ｃが、胴周り方向に平行な直線状であったが、これに限らず、腹側部材２の中央ライン１０ｃが上端縁７側に緩やかに突出する曲線状に形成され、背側部材３の中央ライン１１ｃが、突き合わせた際に中央ライン１０ｃと一致するように、背側部材３の上端縁８と反対側に緩やかに突出する曲線状に形成されてもよい。使い捨ておむつ３０や、上述した変形例は、前述した使い捨ておむつ１と同様の製造方法によって製造可能である。
【００７２】
（第３実施形態）
次に、本発明の更に他の実施形態の使い捨て下着について述べる。
図１１は、本実施形態の使い捨ておむつ６０の弾性部材を伸長した状態での展開図である。前述の実施形態の使い捨ておむつ１と同様の構造及び機能を有する構成要素には、同一の符号を付して、又は、重複する説明を適宜省略する。本実施形態の使い捨ておむつ６０は、前述の実施形態の使い捨ておむつ１と比べて、腹側部材６２の下端縁６６及び背側部材６３の下端縁６７の形状が異なり、腹側部材６２の胴周り弾性部材１２の構成要素の本数が異なり、第１脚周り弾性部材６８及び第２脚周り弾性部材６９が異なり、非弾性領域Ｐ６１、Ｐ６２，Ｐ６３の形状が異なる。
【００７３】
図１１に示すように、本実施形態の使い捨ておむつ６０は、腹側部材６２、背側部材６３、股部材４を備え、腹側部材６２及び背側部材６３は両接合部５ａ，５ｂで接合される。腹側部材６２の上端縁７及び背側部材６３の上端縁８に囲まれて腰開口部６が形成され、腹側部材６２の下端縁６６、背側部材６３の下端縁６７、及び、股部材４の左側縁４ａ又は右側縁４ｂに囲まれて左右の脚開口部が形成される。腹側部材６２及び背側部材６３には胴周り弾性部材１２が延在し、腹側部材６２の左右の脚開口部には第１脚周り弾性部材６８が延在し、背側部材６３の左右の脚開口部には第２脚周り弾性部材６９が延在している。股部材４は、吸収体２０、股部弾性部材２５などを備えている。
【００７４】
本実施形態の使い捨ておむつ６０は、腹側部材６２の下端縁６６が、一対の略平行な両端ライン６６ａ，６６ａと、両端ライン６６ａ，６６ａから股部材４の左右端部４ａ，４ｂへ次第に上昇する一対の傾斜ライン６６ｂ，６６ｂと、略平行な中央ライン６６ｃと、傾斜ライン６６ｂ，６６ｂから中央ライン６６ｃへ緩やかに湾曲して下降する湾曲ライン６６ｄ、６６ｄとからなる点で、使い捨ておむつ１の腹側部材２の下端縁１０とは相違する。使い捨ておむつ６０は、使い捨ておむつ１と比べて、傾斜ライン６６ｂ、６６ｂの傾きがより急である。湾曲ライン６６ｄ，６６ｄと股部材４の左右端部４ａ，４ｂとの交点における股上、すなわち上端縁７と下端縁６６との距離が、使い捨ておむつ１のものよりも短い。そのため、使い捨ておむつ６０は、着用されたときに、着用者の脚を動かしやすい。
【００７５】
使い捨ておむつ６０は、第１脚周り弾性部材６８が、腹側部材６２の接合部５ａ，５ｂから胴周り弾性部材１２ａの中央下部まで上昇して、股部材４より上まで延びており、使い捨ておむつ１の第１脚周り弾性部材１３よりも上端縁７に近い位置まで延びている。第１脚周り弾性部材６８を構成する各糸状の弾性部材の配置間隔が、使い捨ておむつ１のものよりも広くなっている。また、第１脚周り弾性部材６８は、その下端部にのみ、非弾性領域Ｐ６１が形成されている。そのため、第１脚周り弾性部材６８が左接合部５ａの下部から右接合部５ｂの下部まで直線状に延びるように働く張力は、前述した各実施形態の使い捨ておむつ１や使い捨ておむつ３０よりも強いので、腹側部材６２の上端縁７の中央部７ａを引き下げる力が一層強くなる。
【００７６】
他方、使い捨ておむつ６０は、腹側部材６２の胴周り弾性部材１２ｂ及び１２ｃを構成する糸状の弾性部材の本数が、使い捨ておむつ１のものと比べて、各１本ずつ少ない。そのため、腹側部材６２の胴周り弾性部材１２の張力は、使い捨ておむつ１のものよりも弱くなっている。そのため、使い捨ておむつ６０は、使い捨ておむつ１、使い捨ておむつ３０に比べて、腹側部材６２の上端縁７の中央部７ａが、背側部材６３の上端縁８より大きく下るようにすることができる。使い捨ておむつ６０は、前述した使い捨ておむつ１と同様の製造方法によって製造可能である。
【００７７】
（第４実施形態）
次に、本発明のさらに他の実施形態の使い捨て下着について述べる。
図１２は、本実施形態の使い捨ておむつ７０の弾性部材を伸長した状態での展開図である。前述の実施形態の使い捨ておむつ１と同様の構造及び機能を有する構成要素には、同一の符号を付し、または、重複する説明を適宜省略する。前述した実施形態の使い捨ておむつ１は、図４に示すように、伸展された状態の腹側部材２が、長方形において一長辺が内側に略台形状に凹んだ形状である。これに対して、図１２に示すように、本実施形態の使い捨ておむつ７０は、腹側部材７２が略長方形状である。
【００７８】
図１２に示すように、本実施形態の使い捨ておむつ７０は、腹側部材７２、背側部材３、股部材４を備える。腹側部材７２及び背側部材３は両接合部５ａ，５ｂで接合される。腹側部材７２の上端縁７及び背側部材３の上端縁８で囲まれて腰開口部６が形成される。腹側部材７２の下端縁７６、背側部材３の下端縁１１、及び、股部材４の左右側縁４ａ，４ｂで囲まれて左右の脚開口部が形成される。腹側部材７２及び背側部材３には胴周り弾性部材１２が延在し、背側部材３の左右の脚開口部には第２脚周り弾性部材７９が延在している。股部材４は、吸収体２０、股部弾性部材７５などを備えている。
【００７９】
使い捨ておむつ７０における第１弾性部材７８は、腹側部材７２の左右の脚開口部に延在せずに、腹側部材７２の各接合部５ａ，５ｂから胴周り方向の中央まで上端縁７側へ上昇して延在する。第１弾性部材７８は、腹側部材７２の股部材４より上まで上昇しており、その一部が、上端縁７側に頂点を有する先細り形状であるホームベース形状の非弾性領域Ｐ７１によって分断されているだけである。分断されていない第１弾性部材７８の張力は、第１弾性部材７８が左接合部５ａの下部から右接合部５ｂの下部まで直線状に延びるように働くので、使い捨ておむつ７０は、腹側部材７２の上端縁７の中央部７ａを引き下げる力が、使い捨ておむつ１よりも強い。そのため、使い捨ておむつ７０は、腹側部材７２の上端縁７の中央部７ａが、背側部材３の上端縁８より一層引き下げられることが可能である。
【００８０】
使い捨ておむつ７０は、腹側部材７２の上端縁７側に頂点を有する先細り形状であるホームベース形状の非弾性領域Ｐ７１、長方形状の非弾性領域Ｐ７２，及び、背側部材３の上端縁８側に頂点を有する先細り形状であるホームベース形状の非弾性領域Ｐ７３が、吸収体２０の最大幅よりも広く、股部材４の左右端縁４ａ，４ｂ近傍まで広がっている。非弾性領域Ｐ７１及びＰ７３によって、腹側部材７２及び背側部材３の背側部材３の胴周り弾性部材１２の張力を消失される部分の左右幅は、使い捨ておむつ１に比べて大きい。これより、使い捨ておむつ７０は、腹側部材７２及び背側部材３が、腰開口部６から下方の脚開口部９ａ，９ｂへ向かって一層広がる形状にできる。
【００８１】
使い捨ておむつ７０は、腹側部材７２の左右の脚開口部を形成する下端縁７６には、腹側部材７２の胴周り弾性部材１２ｃが延在する。背側部材３の左右の脚開口部を形成する下端縁１１には、第２脚周り弾性部材７９が延在する。股部材４の左右側縁４ａ，４ｂのうち、股部材４の左右の脚開口部を形成する部分の長さは、使い捨て下着１の当該部分の長さよりも短い。それに応じて、使い捨ておむつ７０の股部材４の股部弾性部材７５も短い。腹側部材７２、背側部材３、及び股部材４に囲まれて形成される左右の脚開口部は、使い捨ておむつ１のものに比べて小さくなる。使い捨ておむつ７０は、脚を動かしにくいおそれはあるものの、密着性が高まり、腹側部材７２の面積が大きいことも相まって、排泄物等の漏れ防止が向上する。
【００８２】
前述した各実施形態及び変形例は、適宜組み合わせて用いることもできるが、詳細な説明は省略する。また、本発明は、以上に説明した各実施形態や変形例に限られない。例えば、本発明に係る使い捨て下着は、股部材の内部に吸収体がなく、吸収体を備えた吸収パッドを装着して使用される、パッドホルダーであってもよい。
【産業上の利用可能性】
【００８３】
本発明は、股上が短く、へそ周りを圧迫せず、着用位置が安定する、パンツ型使い捨ておむつやパッドホルダーを製品化するために有用である。
【符号の説明】
【００８４】
１，３０，６０，７０  使い捨て下着
２，６２，７２  腹側部材
２ｃ  中央部
３，６３  背側部材
３ｃ  中央部
４  股部材
５ａ，５ｂ  接合部
６  腰開口部
７  腹側部材の上端縁
７ａ  腹側部材の上端縁の中央部
８  背側部材の上端縁
９ａ，９ｂ  左右の脚開口部
１０，６６，７６  腹側部材の下端縁
１１，６７  背側部材の下端縁
１２  胴周り弾性部材
１３，６８，７８  第１弾性部材（第１脚周り弾性部材）
１４，６９，７９  第２脚周り弾性部材
２５ｂ，７５ｂ  腹側接続弾性部材
Ｐ１，Ｐ２，Ｐ３，Ｐ３１，Ｐ３２，Ｐ３３，Ｐ６１，Ｐ６２，Ｐ６３，Ｐ７１，Ｐ７２，Ｐ７３  非弾性領域  
【要約】
【課題】股上が短く、着用者のへそ周りを圧迫せず、着用位置が安定する、使い捨て下着を提供する。
【解決手段】使い捨て下着１は、胴周り方向の両端部に沿った両接合部５ａ，５ｂで互いに接合される腹側部材２及び背側部材３と、腹側部材２及び背側部材３の両中央部２ｃ、３ｃに架け渡されて接合される股部材４と、腹側部材２及び背側部材３の両上端縁７，８で囲まれて形成される腰開口部６と、腹側部材２と背側部材３と股部材４とで囲まれて形成される左右の脚開口部９ａ，９ｂとを備え、腰開口部６から下方の左右の脚開口部９ａ，９ｂへ向かって広がる形状であり、腹側部材２の上端縁７の中央部７ａが背側部材３の上端縁８より下がっている。
【選択図】図１【図１】
0005946571.tif 000002
【図２】
0005946571.tif 000003
【図３】
0005946571.tif 000004
【図４】
0005946571.tif 000005
【図５】
0005946571.tif 000006
【図６】
0005946571.tif 000007
【図７】
0005946571.tif 000008
【図８】
0005946571.tif 000009
【図９】
0005946571.tif 000010
【図１０】
0005946571.tif 000011
【図１１】
0005946571.tif 000012
【図１２】
0005946571.tif 000013